(57)【要約】【課題】メッシュに付着した石鹸液のかすを掃除する際の脱着作業性が良好で、同作業を簡単に行うことのできる石鹸液吐出ノズル装置を提供する。【解決手段】石鹸液を空気とともに通過させてムース化するメッシュ１０６の設けられたメッシュ付筒体１０２と、ムース状の石鹸液を吐出口４０から吐出するノズル本体７８とを有する石鹸液吐出ノズル装置において、メッシュ付筒体１０２をノズル本体７８に脱着可能に組み付けて組付体１１４となし、組付体１１４のままそれらノズル本体７８とメッシュ付筒体１０２とを取付部８０に対して一体に脱着可能とする。【選択図】        図５
2006255224.tif 000002
【特許請求の範囲】
【請求項１】
（a）石鹸液の吐出通路を横切る状態でメッシュが設けられ、該石鹸液を空気とともに該メッシュを通過させてムース化するメッシュ付筒体と、（b）該メッシュ付筒体からのムース状の石鹸液を吐出口から吐出するノズル本体と、を有する石鹸液吐出ノズル装置において、
前記メッシュ付筒体を前記ノズル本体に脱着可能に組み付けて、それらノズル本体とメッシュ付筒体とを組付体となし、該組付体の状態でそれらノズル本体とメッシュ付筒体とを取付部に対して脱着可能となしてあることを特徴とする石鹸液吐出ノズル装置。
【請求項２】
請求項１において、前記メッシュ付筒体の外周面に径方向に突出する係止用の突起を設ける一方、前記ノズル本体の側には該メッシュ付筒体の軸心周りに延びる係止用の凹部と、該係止用の突起を該係止用の凹部の位置まで軸方向に通過させる切欠部とを設け、該突起を該切欠部を通じて該凹部の位置まで軸方向に挿入し、その後の回転で前記メッシュ付筒体を前記ノズル本体に組み付けるようになしてあることを特徴とする石鹸液吐出ノズル装置。
【請求項３】
（a）石鹸液の吐出通路を横切る状態に設けられ、石鹸液を空気とともに通過させてムース化するメッシュと、（b）該メッシュからのムース状の石鹸液を吐出口から吐出するノズル本体と、を有する石鹸液吐出ノズル装置において、
前記メッシュを前記ノズル本体に固着して両者を組付体となし、該組付体の状態でそれらノズル本体とメッシュとを取付部に対して脱着可能となしてあることを特徴とする石鹸液吐出ノズル装置。
【請求項４】
請求項１〜３の何れかにおいて、前記ノズル本体と前記取付部との間をシールするシール部材を前記ノズル本体に設けた保持部に組み付けて、該シール部材を含んで前記組付体を構成し、該シール部材を組付体の状態で前記取付部に対して脱着可能となしてあることを特徴とする石鹸液吐出ノズル装置。
【発明の詳細な説明】
【技術分野】
【０００１】
この発明は石鹸液をムース状にして吐出口から吐出する石鹸液吐出ノズル装置に関する。
【背景技術】
【０００２】
従来、石鹸液の吐出通路を横切る状態に設けられ、石鹸液を空気とともに通過させてムース化するメッシュと、そのメッシュからのムース状の石鹸液を吐出口から吐出するノズル本体と、を備えた石鹸液吐出ノズル装置が公知である。
下記特許文献１には、このメッシュを筒体に固設してメッシュ付筒体となし、これをノズル本体やシール部材とともに取付部に脱着可能に取り付けるようになしたものが開示されている。
図９はその具体例を示している。
【０００３】
同図において２００は吐出口２０２を有するノズル本体で、２０４はシール部材（ここではＯリング）、２０６は軸方向両端部にメッシュの固設されたメッシュ付筒体で、２１０は石鹸液吐出ノズル装置の本体であり、円筒形状の取付部２０８が突出状態で設けられている。
尚、２１２は石鹸液の飛散防止のための円筒形状のスリーブである。
【０００４】
この図９の石鹸液吐出ノズル装置では、取付部２０８の雄ねじ２１４に対しスリーブ２１２の雌ねじ２１６をねじ込むことによって、スリーブ２１２の内周側に形成された突起２１８により、ノズル本体２００の外周側に形成された突起２２０を取付部２０８側に押圧し、メッシュ付筒体２０６，シール部材２０４，ノズル本体２００及びスリーブ２１２を取付部２０８に取り付けるようにしている。
【０００５】
上記メッシュ付筒体２０６における軸方向両端部のメッシュは、石鹸液を空気とともに通過させることでそれらを混合しムース化するもので、このメッシュ付筒体２０６でムース化された石鹸液が、続いてノズル本体２００の吐出口２０２から図中左斜め下向きに吐出される。
【０００６】
ところで、石鹸液をメッシュにてムース化して吐出するこの種石鹸液吐出ノズル装置にあっては、使用時にメッシュに付着した石鹸液がその後の乾燥でメッシュに固着してしまう問題があり、従って石鹸液のムースを良好に吐出させるために頻繁にメッシュの掃除を行う必要がある。
図９に示すものにおいて、メッシュの掃除を行うためにはスリーブ２１２を取付部２０８から外して、メッシュ付筒体２０６を取り出すことが必要であるが、この場合スリーブ２１２を取付部２０８から外すとメッシュ付筒体２０６，シール部材２０４，ノズル本体２００，スリーブ２１２等の各部品が全てバラバラの状態となってしまい、それらを再組付けする際の作業性が大変面倒となる。
【０００７】
また取り外したときに場合によってシール部材２０４がメッシュ付筒体２０６にくっ付いたままとなる恐れがあり、この場合にはシール部材２０４をメッシュ付筒体２０６から引き剥がし、これを適当な位置に置いた上でメッシュ付筒体２０６の掃除、即ちメッシュの掃除を行わなければならず、メッシュ付筒体２０６を取り出す際の作業性が悪いのに加えて、シール部材２０４が小さな部品であるためこれを紛失してしまう恐れも生ずる。
而してシール部材２０４を紛失してしまうと、再組付けができなくなってしまう。
【０００８】
また各部品を再組付けする際に、シール部材２０４を適正にセットすることが必ずしも簡単ではなく、シール部材２０４のセットの良し悪しが作業者の能力によって左右されてしまう。
而してシール部材２０４が適正にセットされていないと、良好なシール性を確保できなくなってしまう。
【０００９】
【特許文献１】特開２００２−３１５６８４号公報
【発明の開示】
【発明が解決しようとする課題】
【００１０】
本発明は以上のような事情を背景とし、メッシュに付着した石鹸液のかすを掃除する際の脱着作業性が良好で、同作業を簡単に行うことのできる石鹸液吐出ノズル装置を提供することを目的としてなされたものである。
また本発明の他の目的は、メッシュを掃除する際のメンテナンス作業時にシール部材を紛失してしまう恐れが無く、また作業者の能力によること無く常にシール部材を適正にセットすることのできる石鹸液吐出ノズル装置を提供することを目的とする。
【課題を解決するための手段】
【００１１】
而して請求項１のものは、（a）石鹸液の吐出通路を横切る状態でメッシュが設けられ、該石鹸液を空気とともに該メッシュを通過させてムース化するメッシュ付筒体と、（b）該メッシュ付筒体からのムース状の石鹸液を吐出口から吐出するノズル本体と、を有する石鹸液吐出ノズル装置において、前記メッシュ付筒体を前記ノズル本体に脱着可能に組み付けて、それらノズル本体とメッシュ付筒体とを組付体となし、該組付体の状態でそれらノズル本体とメッシュ付筒体とを取付部に対して脱着可能となしてあることを特徴とする。
【００１２】
請求項２のものは、請求項１において、前記メッシュ付筒体の外周面に径方向に突出する係止用の突起を設ける一方、前記ノズル本体の側には該メッシュ付筒体の軸心周りに延びる係止用の凹部と、該係止用の突起を該係止用の凹部の位置まで軸方向に通過させる切欠部とを設け、該突起を該切欠部を通じて該凹部の位置まで軸方向に挿入し、その後の回転で前記メッシュ付筒体を前記ノズル本体に組み付けるようになしてあることを特徴とする。
【００１３】
請求項３のものは、（a）石鹸液の吐出通路を横切る状態に設けられ、石鹸液を空気とともに通過させてムース化するメッシュと、（b）該メッシュからのムース状の石鹸液を吐出口から吐出するノズル本体と、を有する石鹸液吐出ノズル装置において、前記メッシュを前記ノズル本体に固着して両者を組付体となし、該組付体の状態でそれらノズル本体とメッシュとを取付部に対して脱着可能となしてあることを特徴とする。
【００１４】
請求項４のものは、請求項１〜３の何れかにおいて、前記ノズル本体と前記取付部との間をシールするシール部材を前記ノズル本体に設けた保持部に組み付けて、該シール部材を含んで前記組付体を構成し、該シール部材を組付体の状態で前記取付部に対して脱着可能となしてあることを特徴とする。
【発明の作用・効果】
【００１５】
以上のように本発明は、メッシュを筒体に設けて成るメッシュ付筒体とノズル本体とを有する石鹸液吐出ノズル装置において、メッシュ付筒体をノズル本体に脱着可能に組み付けて、それらノズル本体とメッシュ付筒体とを組付体となし、その組付体のまま取付部に対して脱着可能となしたもので、本発明ではメッシュ付筒体とノズル本体とが、互いに組み付いた状態で取付部に対して脱着可能であるため、メンテナンス作業に際してそれらを取付部から簡単に取り外すことができ、更にノズル本体からメッシュ付筒体を外すことでメッシュの掃除を簡単に行うことができる。
また掃除後においてそれらを組付体の状態で容易に取付部に対して取り付けることができる。
【００１６】
請求項２は、メッシュ付筒体の外周面に径方向に突出する係止用の突起を設ける一方、ノズル本体の側にはメッシュ付筒体の軸心周りに延びる係止用の凹部と、係止用の突起をその係止用の凹部の位置まで軸方向に通過させる切欠部とを設け、メッシュ付筒体の突起を切欠部を通じて凹部の位置まで軸方向に挿入した上、これを回転させることでメッシュ付筒体をノズル本体に組み付けるようになしたもので、この請求項２によれば、ノズル本体に対するメッシュ付筒体の組付け及び取外し作業をほぼワンタッチで極めて簡単に行うことができる。
【００１７】
次に請求項３は、メッシュをメッシュ付筒体として構成するのではなく、かかるメッシュを直接ノズル本体に固着して組み付け、それらノズル本体とメッシュとを組付体となし、その組付体の状態でそれらを取付部に対して脱着可能となしたもので、この場合請求項１及び請求項２のものに比べて所要部品点数を更に少なくすることができ、またメッシュの掃除のためのメンテナンス作業時の脱着作業性を更に良好となすことができる。
ここでノズル本体に対するメッシュの固着手段としては、接着や溶着その他の手段を用いることが可能である。
【００１８】
次に請求項４は、ノズル本体と取付部との間をシールするためのシール部材をノズル本体に設けた保持部に組み付けて、上記組付体をシール部材を含む組付体となし、シール部材を含めてその組付体の状態で取付部に対して脱着可能となしたもので、この請求項４によれば、メッシュの掃除のためのメンテナンス作業をするに際して、ノズル本体を取り外したとき、シール部材をノズル本体に組み付いたままとしておくことができるため、小さな部品であるシール部材がメンテナンス作業に際して紛失してしまうといった恐れを無くすことができ、従ってシール部材の紛失によって再組付けができなくなってしまうといった問題を解消することができる。
またシール部材がノズル本体と一体に脱着できるため、脱着の際の作業性も更に良好となる。
【００１９】
またシール部材は脱着の際に単独で分解されないでノズル本体に保持されたままであって、再組付けに際してもシール部材を常に良好にセット状態とすることができ、作業者によってセット状態がばらつくといった従来の問題を解決することが可能となる。
またシール部材が自動的に良好にセットされることから、シール部材の不適正なセットによるシール性の悪化の問題も解決することができる。
【００２０】
ここでノズル本体に対するシール部材の組付位置即ちその保持部は、上記のメッシュ付筒体やメッシュとは異なった箇所としておくことができる。
この場合作業者はシール部材に殆ど手を触れることなくメッシュの掃除を行うことができる。
またノズル本体におけるシール部材の保持部は環状の溝となしておくことができる。
【発明を実施するための最良の形態】
【００２１】
次に本発明の実施形態を図面に基づいて詳しく説明する。
図１において、１０は自動手洗乾燥装置（ここでは壁掛式）で、陶器製の手洗器１２と、その下部のキャビネット１４及び手洗器１２に装着された機能部ユニット１６とを有している。
機能部ユニット１６はケーシング１８を有しており、各種機能部がそこに内蔵されている。
ここでケーシング１８は、下部のケーシング本体１８Ａとその上端の開口を閉鎖する蓋体１８Ｂとを有している。
【００２２】
手洗器１２の後部には、図２及び図３に示しているようにその後端縁に沿って立上る後壁部２４と、左右一対の側壁部２６とで囲まれた収容凹部２８が形成されており、図２にも示しているようにその収容凹部２８に上記の機能部ユニット１６が収容されている。
機能部ユニット１６は、その後面と側面とがそれぞれ後壁部２４と左右一対の側壁部２６とで囲われており、その前面が手洗器１２のボウル部３２に向けて開放されている。
ここで収容凹部２８の底面は、機能部ユニット１６を支持する平坦な支持面３０とされている。
尚図２において、３４はボウル部３２に設けられた排水口である。
【００２３】
図１に示しているように、自動手洗乾燥装置１０は温風吹出口３６，吐水口３８及び石鹸液の吐出口４０を備えており、それらが機能部ユニット１６におけるケーシング１８の前面に備えられている。
このケーシング１８の前面にはまた、それぞれに対応して人体検知センサ４２，４４，４６が設けられている。
【００２４】
この自動手洗乾燥装置１０では、石鹸液の吐出口４０の前方に手を差し出すと、人体検知センサ４６がこれを検知して吐出口４０から自動的にムース状の石鹸液を吐出する。
また吐水口３８の前方に手を差し出すと、人体検知センサ４４がこれを検知して吐水口３８から自動的に温水を吐水する。
更に温風吹出口３６の前方に手を差し出すと、人体検知センサ４２がこれを検知して温風吹出口３６から自動的に温風を吹き出す。
【００２５】
尚、図１中石鹸液の吐出口４０の左側の隣接位置には、石鹸液補給用の引出し４８が出入れ可能に設けられている。
石鹸液の補給は、この引出し４８を引き出した状態で上方からその内部に石鹸液を供給することにより行う。
【００２６】
図１に示しているように、キャビネット１４の内部には排水管５０が設けられており、その上端がボウル部３２の排水口３４に接続されている。
ボウル部３２からの排水は、この排水管５０のトラップ部５２を経て外部に排出される。
【００２７】
キャビネット１４の内部にはまた、湯水の混合部５４と、温水の供給遮断を行う電磁弁５６とが設けられており、その混合部５４に対し冷水及び湯をそれぞれ供給する配管が接続されている。
混合部５４に供給された冷水と湯とはここで所定比率に混合されて適温の混合水とされ、電磁弁５６の開弁により給水管５８を通じて吐水口３８へと送られ、そこからボウル部３２に向けて吐水される。
【００２８】
一方キャビネット１４の内部且つ下部には石鹸液タンク６０が設けられており、そこに所定量の石鹸液が貯溜されるようになっている。
この石鹸液タンク６０からは給液管６２が延び出しており、その給液管６２上に給液ポンプ６４が設けられている。
石鹸液タンク６０内の石鹸液は、この給液ポンプ６４により給液管６２を通じて上記の石鹸液の吐出口４０へと送られる。
また石鹸液タンク６０内の石鹸液の液量が少なくなったときには、上記の引出し４８を通じて石鹸液が補給され、補給された石鹸液が補給管６６を通じて石鹸液タンク６０内に流入する。
【００２９】
７０は空気ポンプで、この空気ポンプ７０により空気が給気管６８を通じて上記石鹸液の吐出口４０に向けて送られる。
【００３０】
キャビネット１４の内部且つ下部にはまた、上記温風吹出口３６を含む温風乾燥装置の乾燥機本体７２が設けられており、この乾燥機本体７２と上記の温風吹出口３６とが、送風管７４で連絡されている。
乾燥機本体７２には送風機とヒータとが内蔵されており、吸気口７５を通じて吸入された空気がヒータによる加熱作用で温風とされて送風機により送風管７４を通じて温風吹出口３６へと送り出される。
【００３１】
図４に上記石鹸液の吐出口４０を有する本例の石鹸液吐出ノズル装置７６の具体的構成が示してある。
同図に示しているように、石鹸液吐出ノズル装置７６はノズル本体７８を有しており、そのノズル本体７８が取付部８０に取り付けられ保持されている。
ここでノズル本体７８及び取付部８０は斜め下向きに向けられており、同じく斜め下向きをなすケーシング１８の前板部８１に固定状態とされている。
【００３２】
図５（Ａ）に示しているように、取付部８０は円筒形状の大径の容器部８２と、小管形状のニップル部８４とを有しており、そのニップル部８４が給液管６２に挿込接続されている。
容器部８２の外周面には鍔部８６が設けられており、前板部８１に設けられた開口８８において、取付部８０がこの鍔部８６で前板部８１に固定されている。
この取付部８０における容器部８２の図中左端部外周面には雄ねじ９０が設けられている。
【００３３】
上記ノズル本体７８は、その中心部に上記吐出口４０に到るノズル孔９２を有しており、また図中右側の後部に外筒部９４と内筒部９６とを有している。
外筒部９４の内周面には雌ねじ９８が設けられており、この雌ねじ９８が取付部８０の雄ねじ９０にねじ結合されることで、ノズル本体７８が取付部８０に取り付けられるようになっている。
一方、内筒部９６の付根外周面にはＯリング（シール部材）１００の保持部としての環状溝１０１が設けられており、そこにＯリング１００が保持されるようになっている。
【００３４】
図５（Ｂ）において、１０２はメッシュ付筒体で、その内側に石鹸液の吐出通路の一部をなす内部通路１０４が形成されている。
またその両端部には、石鹸液の吐出通路を横切る状態でメッシュ１０６，１０６が設けられている。
これらメッシュ１０６は、石鹸液と空気とを通すことによりそれらを均一混合し、石鹸液をより良くムース化する働きをなす。
【００３５】
このメッシュ付筒体１０２の外周面には、互いに１８０°隔たった位置において係止用の突起１０８が径方向外方に突出する状態で設けられている。
一方ノズル本体７８における内筒部９６の内周面には、対応する係止用の凹部１１０が設けられている。
ここで凹部１１０は、図６に示しているようにメッシュ付筒体１０２の軸心周りに延びる形態で設けられている。
この内筒部９６にはまた、メッシュ付筒体１０２における係止用の突起１０８を係止用の凹部１１０に到る位置まで軸方向に通過させる一対の切欠部１１２が設けられている。
【００３６】
本実施形態では、メッシュ付筒体１０２の図５（Ｂ）中左端側をノズル本体７８の内筒部９６内に挿入するとともに、係止用の突起１０８を図６の切欠部１１２を通じて係止用の凹部１１０に到る位置まで挿入し、その後メッシュ付筒体１０２を図６（II），（III）に示しているように図中左向きに回転することで、簡単にメッシュ付筒体１０２をノズル本体７８に組み付けることができる（尚、メッシュ付筒体１０２をノズル本体７８から外すときには以上とは逆の操作を行う）。
【００３７】
図５（Ａ）中１１４は、このようにしてノズル本体７８に対しメッシュ付筒体１０２をＯリング１００とともに組み付けて成る組付体を表している。
本実施形態においては、この組付体１１４を取付部８０に取り付けるだけでメッシュ付筒体１０２，Ｏリング１００及びノズル本体７８の各部品を、ともに取付部８０に取り付けることができる。
また組付体１１４を取付部８０から取り外すことによって、それら各部品をともに取付部８０から取り外すことができる。
而してメッシュ付筒体１０２のメッシュ１０６を掃除するには、メッシュ付筒体１０２をノズル本体７８から取り外すことによってこれを容易に行うことができる。
【００３８】
以上のような本実施形態においては、メッシュ付筒体１０２とノズル本体７８とが互いに組み付いた状態（組付体１１４）で取付部８０に対して一体に脱着可能であるため、メンテナンス作業に際してそれらを取付部８０から簡単に取り外すことができ、更にノズル本体７８からメッシュ付筒体１０２を外すことでメッシュ１０６の掃除を簡単に行うことができる。
更に掃除後において、それらを組付体１１４の状態で容易に取付部８０に対し取り付けることができる。
【００３９】
また本実施形態ではメッシュ付筒体１０２の突起１０８を切欠部１１２を通じて凹部１１０の位置まで軸方向に挿入した上これを回転させることでメッシュ付筒体１０２をノズル本体７８に組み付けるようになしているため、ノズル本体７８に対するメッシュ付筒体１０２の組付け及び取外し作業をほぼワンタッチで極めて簡単に行うことができる。
【００４０】
更に本実施形態ではＯリング１００も含めて組付体１１４の状態で取付部８０に対し一体に脱着可能となしてあるため、メッシュ１０６の掃除のためのメンテナンス作業をするに際して、ノズル本体７８を取り外したとき、Ｏリング１００をノズル本体７８に組み付いたままとしておくことができ、小さな部品であるＯリング１００がメンテナンス作業に際して紛失してしまうといった恐れが無く、従ってＯリング１００の紛失によって再組付けができなくなってしまうといった問題を生じない。
またＯリング１００をノズル本体７８と一体に脱着できるため脱着の際の作業性も更に良好となる。
【００４１】
またＯリング１００は脱着の際に単独で分解されないでノズル本体７８に保持されたままであって、再組付けに際してもＯリング１００を常に良好にセット状態とすることができ、作業者によってセット状態がばらつくといった従来の問題を解決することができる。
またＯリング１００が自動的に良好にセットされることから、Ｏリング１００の不適正なセットによるシール性の悪化の問題も解決することができる。
【００４２】
上記ノズル本体７８及び取付部８０は、これを前板部８１に取り付けるに際し、図７に示しているようにその取付用の開口８８を斜めの向きとなしておいて、手洗器１２におけるボウル部３２の中央部に向けて斜めに取り付けるようになしておくことができる。
尚図中１１６，１１８は取付部８０の固定用の固定ねじである。
このようにしておけば、使用者は体を移動させなくても容易に吐出口４０からムース状の石鹸液を手に受けることができて望ましい。
【００４３】
図８は本発明の更に他の実施形態を示している。
この実施形態は、上記実施形態におけるメッシュ付筒体１０２を省略して、メッシュ１０６を直接ノズル本体７８に、詳しくはその内筒部９６における図中右端部の開口に接着，溶着等の手段により固着して、かかるメッシュ１０６をノズル本体７８に組み付け、それらを一体の組付体１２０となした例である。
この実施形態においても、組付体１２０を取付部８０に脱着することで、ノズル本体７８及びメッシュ１０６をともに脱着することができる。
尚他の点については上記実施形態と同様である。
この図８に示す実施形態によれば、上記実施形態に比べて所要部品点数を更に少なくすることができ、またメッシュ１０６の掃除のためのメンテナンス作業時の脱着作業性を更に良好となすことができる。
【００４４】
以上本発明の実施形態を詳述したがこれらはあくまで一例示であり、本発明はその趣旨を逸脱しない範囲において種々変更を加えた形態で構成可能である。
【図面の簡単な説明】
【００４５】
【図１】本発明の一実施形態の石鹸液吐出ノズル装置を含む自動手洗乾燥装置を示す全体図である。
【図２】図１の手洗器周辺を拡大して示す側断面図である。
【図３】図１の機能部ユニット周辺を拡大して示す正面図である。
【図４】同実施形態の石鹸液吐出ノズル装置を拡大して示す断面図である。
【図５】同石鹸液吐出ノズル装置の取付構造を示す図である。
【図６】同実施形態におけるノズル本体に対するメッシュ付筒体の組付構造を示す図である。
【図７】本発明の他の実施形態を示す図である。
【図８】本発明の更に他の実施形態を示す図である。
【図９】従来の石鹸液吐出ノズル装置の一例を示す図である。
【符号の説明】
【００４６】
４０  吐出口
７６  石鹸液吐出ノズル装置
７８  ノズル本体
８０  取付部
１００  Ｏリング（シール部材）
１０１  環状溝（保持部）
１０２  メッシュ付筒体
１０６  メッシュ
１０８  突起
１１０  凹部
１１２  切欠部
１１４，１２０  組付体
【図１】
2006255224.tif 000003
【図２】
2006255224.tif 000004
【図３】
2006255224.tif 000005
【図４】
2006255224.tif 000006
【図５】
2006255224.tif 000007
【図６】
2006255224.tif 000008
【図７】
2006255224.tif 000009
【図８】
2006255224.tif 000010
【図９】
2006255224.tif 000011